(57)【要約】【課題】歩行に際し行われるローリング動作を妨げないのみならず、さらに進んで、その動作を促すことができる靴を提供すること。【解決手段】靴底部２０と、履き口部３１を有するアッパー本体部３０と、を備え、靴底部は、踵部２１とアーチ部２２と踏み付け部２３と爪先部２４と、を有し、靴底面には、踏み付け部等を区画するための区画部５０ａが形成され、踵部における後端部には踵側滑り止め部２１ｃが形成され、踏み付け部には、踏み付け部の屈曲を促進するための踏み付け屈曲部２３ａが形成され、その一部には、踏み付け滑り止め部２３ｃが形成され、靴底面には、その長手方向に沿って踵部から爪先部にかけて連続して、ローリング溝部２５が形成されている靴１０。【選択図】図２
2008029717.tif 000002
【特許請求の範囲】
【請求項１】
使用者が歩行に際し接地する靴底面を有する靴底部と、
前記靴底部から立ち上がるように、且つ使用者の足を包むように形成されると共に、使用者の足を挿入するための履き口部を有するアッパー本体部と、を備える靴であって、
前記靴底部は、使用者の足の踵領域が配置される踵部と、
前記踵部に連接され、使用者の足の中足領域が配置されるアーチ部と、
前記アーチ部に連接され、使用者の足の踏みつけ領域が配置される踏み付け部と、
前記踏み付け部に連接され、使用者の足の爪先領域を配置する爪先部と、を有し、
前記靴底面には、少なくとも、前記アーチ部、前記踏み付け部及び前記爪先部を区画するための区画部が前記靴底面の長手方向に交差する短手方向に形成され、
少なくとも、前記踵部における後端部には踵側滑り止め部が形成され、
前記踏み付け部には、踏み付け部の屈曲を促進するための踏み付け屈曲部が前記靴底面の長手方向に交差する短手方向に形成され、
前記踏み付け部の少なくとも一部には、踏み付け滑り止め部が形成され、
前記靴底面には、その長手方向に沿って前記踵部から前記爪先部にかけて連続して、ローリング溝部が形成され、
前記ローリング溝部は、前記踵部から前記アーチ部の領域では、前記靴底面の短手方向の外足側に配置され、
前記踏み付け部では、前記アーチ部における前記ローリング溝部が、前記短手方向の前記外足側から内足側に向かって変位するように延伸され、
前記爪先部では、前記ローリング溝部が前記短手方向の前記内足側に配置されていることを特徴とする靴。
【請求項２】
前記ローリング溝部は、前記踵部の最後端では前記靴底面の略中央部に形成されると共に、前記踵部の前記アーチ部寄りでは、前記外足側に変位して配置されていることを特徴とする請求項１に記載の靴。
【請求項３】
前記アーチ部には、前記アーチ部の剛性を高めるアーチ剛性部が形成されていることを特徴とする請求項１又は請求項２に記載の靴。
【請求項４】
前記踵部の前記内足側には、前記踵部の剛性を高める踵剛性部が形成されていることを特徴とする請求項１乃至請求項３のいずれかに記載の靴。
【請求項５】
前記アッパー本体部の前記踵部側には、アッパー本体部の剛性を高めるためのアッパー剛性層が形成され、
前記アッパー剛性層の前記内足側が、前記外足側より長く形成されていることを特徴とする請求項１乃至請求項４のいずれかに記載の靴。
【発明の詳細な説明】
【技術分野】
【０００１】
本発明は、歩行の際に用いる靴に関するものである。
【背景技術】
【０００２】
人が靴を履いて歩行をする際は、上げた足が踵側で着地した後、爪先側に向かって靴の外足側（小指側）から内足側（親指側）の順に着地し、体重（重心）を移動する所謂「ローリング動作」をすることが知られている。
このため、このローリング動作（特許文献１では「あおり動作」と呼んでいる）を阻害させないための提案がなされている（例えば、特許文献１）。具体的には、足指の付け根部分やその近傍の靴底を屈曲し易くするための凹部等を形成している。
【特許文献１】特開２００４−２５４９０２号公報（図６等）
【発明の開示】
【発明が解決しようとする課題】
【０００３】
しかし、上述のローリング動作は、上げた足が踵で着地した後、爪先側へ体重を移動して、蹴りだすまでの足裏（靴底部）の全体に関する動作であるため、特許文献１のように部分的に凹部等を形成するだけでは不十分であり、歩行に際し行われるローリング動作を依然として阻害するという問題があった。
一方、特に、安定した歩行が困難な高齢者や幼児等については、歩行に際し行われる「ローリング動作」が一般人に比べ行い難いという事情があるため、このような高齢者等の要介護者が、従来の靴を用いて歩行をすると、一般人以上にローリング動作による歩行をし難いという問題があった。
【０００４】
そこで、本発明は、歩行に際し行われるローリング動作を妨げないのみならず、さらに進んで、その動作を促すことができる靴を提供することを目的とする。
【課題を解決するための手段】
【０００５】
前記課題は、請求項１の発明によれば、  使用者が歩行に際し接地する靴底面を有する靴底部と、前記靴底部から立ち上がるように、且つ使用者の足を包むように形成されると共に、使用者の足を挿入するための履き口部を有するアッパー本体部と、を備える靴であって、前記靴底部は、使用者の足の踵領域が配置される踵部と、前記踵部に連接され、使用者の足の中足領域が配置されるアーチ部と、前記アーチ部に連接され、使用者の足の踏みつけ領域が配置される踏み付け部と、前記踏み付け部に連接され、使用者の足の爪先領域を配置する爪先部と、を有し、前記靴底面には、少なくとも、前記アーチ部、前記踏み付け部及び前記爪先部を区画するための区画部が前記靴底面の長手方向に交差する短手方向に形成され、少なくとも、前記踵部における後端部には踵側滑り止め部が形成され、前記踏み付け部には、踏み付け部の屈曲を促進するための踏み付け屈曲部が前記靴底面の長手方向に交差する短手方向に形成され、前記踏み付け部の少なくとも一部には、踏み付け滑り止め部が形成され、前記靴底面には、その長手方向に沿って前記踵部から前記爪先部にかけて連続して、ローリング溝部が形成され、前記ローリング溝部は、前記踵部から前記アーチ部の領域では、前記靴底面の短手方向の外足側に配置され、前記踏み付け部では、前記アーチ部における前記ローリング溝部が、前記短手方向の前記外足側から内足側に向かって変位するように延伸され、前記爪先部では、前記ローリング溝部が前記短手方向の前記内足側に配置されていることを特徴とする靴により達成される。
【０００６】
前記構成によれば、靴底面には、少なくとも、アーチ部、踏み付け部及び爪先部を区画するための区画部が靴底面の長手方向に交差する方向に形成されている。また、踏み付け部には、踏み付け部の屈曲を促進するための踏み付け屈曲部が靴底面の長手方向に交差する方向に形成されている。
このため、使用者の足のローリング動作に対応して長手方向が屈曲するよう変形等する靴となり、かかるローリング動作を妨げず、むしろ、かかる動作を促進する構成となっている。したがって、使用者の歩行時における自然な足の運びを可能としている。
【０００７】
また、前記構成によれば、少なくとも、踵部における後端部には踵側滑り止め部が形成され、踏み付け部の少なくとも一部には、踏み付け滑り止め部が形成されている。
このため、使用者がローリング動作を行う歩行時に特にグリップを必要とする、着地時に接地する踵部分に踵側滑り止め部が、踏み出し時に力がかかる踏み付け部分に踏み付け滑り止め部が形成されているので、安定してローリング動作を行い易い靴となっている。
【０００８】
また、前記構成によれば、靴底面には、その長手方向に沿って踵部から爪先部にかけて連続して、ローリング溝部が形成され、ローリング溝部は、踵部からアーチ部の領域では、靴底面の短手方向の外足側に配置され、踏み付け部では、アーチ部におけるローリング溝部が、短手方向の外足側から内足側に向かって変位するように延伸され、爪先部では、ローリング溝部が短手方向の内足側に配置されている。
このため、靴底面には、実際のローリング動作における使用者の重心の移動に沿って、ローリング溝部が形成されているので、連続した動きとして使用者の適正な重心の移動を促し、適正なローリング動作を促す構成となっている。
【０００９】
好ましくは、請求項２の発明によれば、請求項１の構成において、前記ローリング溝部は、前記踵部の最後端では前記靴底面の略中央部に形成されると共に、前記踵部の前記アーチ部寄りでは、前記外足側に変位して配置されていることを特徴とする靴である。
【００１０】
前記構成によれば、ローリング溝部は、踵部の最後端では靴底面の略中央部に形成されている。一般人が使用する靴では、ローリング動作の開始は、踵部の外足側となっているが、高齢者等のように足があまり上がらず、足の運びがゆっくりとなる使用者の場合は、ローリング動作は踵部の中央部から接地することとなる。
このように、前記構成では、高齢者等の足の運びが衰え始めた使用者のローリング動作を適正に促す構成となっている。
【００１１】
好ましくは、請求項３の発明によれば、請求項１又は請求項２の構成において、前記アーチ部には、前記アーチ部の剛性を高めるアーチ剛性部が形成されていることを特徴とする靴である。
【００１２】
前記構成によれば、アーチ部には、アーチ部の剛性を高めるアーチ剛性部が形成されている。使用者がローリング動作により重心の移動をして歩行する際、この重心移動や足の屈曲等により、靴に対してねじれ方向の力が加わることになる。このような力が加わると歩行に「ぶれ」が生じ、円滑な歩行動作を妨げることとなる。この「ぶれ」は特に、接地しないアーチ部で発生し易い。
そこで、このアーチ部にアーチ剛性部を配置し、かかる「ぶれ」の発生を未然に防ぎ、使用者のローリング動作をし易くする構成となっている。
また、特に、アーチ剛性部があることで、足を屈曲させ、踏み付け部に力を加えて踏み出すとき、アーチ剛性部の復元力によって、この足の踏み出す動作を補助する働きをすることになる。したがって、踏み出し動作をし易い靴ともなっている。
【００１３】
好ましくは、請求項４の発明によれば、請求項１乃至請求項３のいずれかの構成において、前記踵部の前記内足側には、前記踵部の剛性を高める踵剛性部が形成されていることを特徴とする靴である。
【００１４】
前記構成によれば、踵部の内足側には、踵部の剛性を高める踵剛性部が形成されている。使用者の歩行動作であるローリング動作では、踵部が接地した後に、外足側に重心が移動されることが望ましい。そこで、前記構成のように踵部の内足側の剛性を外足側より高くすることで、使用者の歩行における重心の外足側への移動を促す構成となっている。
【００１５】
好ましくは、請求項５の発明によれば、請求項１乃至請求項４のいずれかの構成において、前記アッパー本体部の前記踵部側には、アッパー本体部の剛性を高めるためのアッパー剛性層が形成され、前記アッパー剛性層の前記内足側が、前記外足側より長く形成されていることを特徴とする靴である。
【００１６】
前記構成によれば、アッパー本体部の踵部側にアッパー剛性層が設けられ、踵を確実に保持できる構成とされており、しかも、アッパー剛性層の内足側が、外足側より長く形成されている。使用者の歩行動作であるローリング動作では、踵部では、接地した後に外足側に重心が移動されることが望ましい。そこで、前記構成のようにアッパー本体部の踵部側におけるアッパー剛性層の内足側が、外足側より長く形成されることで、アッパー本体部の踵部の内足側を、外足側より長く保持することができる。これにより、使用者の歩行における重心の外足側への移動を促す構成となっている。
【発明の効果】
【００１７】
本発明は、歩行に際し行われるローリング動作を妨げないのみならず、さらに進んで、その動作を促すことができる靴を提供することができるという利点がある。
【発明を実施するための最良の形態】
【００１８】
以下、この発明の好適な実施の形態を添付図面等を参照しながら、詳細に説明する。
尚、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
【００１９】
図１は、本発明の靴の実施の形態に係る例えば、高齢者用靴１０を示す概略断面図である。
高齢者用靴１０の構成等について説明する前に、このような高齢者用靴１０の必要性について説明する。
通常の一般成人の場合、二足歩行をするために背面筋肉が発達しているため、歩行に際し、前傾姿勢となることがなく、足を適正に上げながら歩行することができる。しかし、高齢者等は、その加齢により背筋を中心とする背面筋肉が衰えて、体が前傾姿勢となり、膝の屈曲も行い難い状態となる。このため、足を上げて歩行するという行為が困難となり、対応して歩幅が狭くなる。
特に、歩行する際の足の「踵から着地し、順次、爪先側に向けて足の力（重心や体重）を移行させて、最後、親指で蹴り出す」という歩行のローリング動作を行い難くなる。
このローリング動作が適正にできないと、その結果、歩行が不安定となり、歩行動作自体に悪影響が出ることになる。
そこで、本実施の形態の高齢者用靴１０は、加齢によりローリング動作が行い難くなっている高齢者に対して、ローリング動作を行い易くさせる構成となっている。
【００２０】
以下、具体的な構成について説明する。先ず、図１に示すように、高齢者用靴１０は、使用者が歩行に際し接地する靴底部２０と、使用者である例えば、高齢者等がその足を挿入配置するアッパー部３０と、を有している。
このアッパー部３０には、高齢者の足を挿入するための開口を有する履き口部３０が備わっている。また、アッパー部３０には、挿入された足を甲側から押さえ、足を高齢者用靴１０に固定させる舌部３２とベルト部３３が形成されている。
具体的には、足の甲側に配置される舌部３２をベルト部３３で固定する構成となっている。このベルト部３３は、面ファスナー等により着脱可能な構成となっており、高齢者が高齢者用靴１０を履く際や、脱ぐ際には、舌部３２を固定せず、非固定状態とすることができる構成となっている。
また、図１に示すように、舌部３２とアッパー部本体３５とは、糸等で縫合され、縫合部が脆弱部３４となっている。このため、ベルト部３３を外し、舌部３２を非固定状態とすると、舌部３３を図１の矢印Ｒ１方向に揺動させることができ、この舌部３３の揺動で、履き口部３１の開口を大きくすることができる構成となっている。
したがって、高齢者にとって履きやすく、且つ脱ぎやすい高齢者用靴１０となっている。
【００２１】
つまり、アッパー部３０は、靴底部２０から立ち上がるように、かつ使用者（高齢者）の足を包むように形成されると共に、使用者の足を挿入するための履き口部３１を有するアッパー本体部の一例となっているが、その他、各種構成を採用してもよい。
【００２２】
また、アッパー部３０の内部の靴底部２０側には、中敷きであるインソール４０が配置されている。
このインソール４０は、図１に示すように、３層からなり、その表面（高齢者の足側）は第１層４１で、低反発クッションからなっている。このため、その上に足をおいた高齢者は、足とインソール４０との密着感が高まり、いわゆるフィット感が高まり、履き心地が良くなる構成となっている。また、第１層４１の図１の下側には、第２層４２が形成され、この第２層４２は、クッション層となり、歩行に際し、高齢者の足に加わる衝撃を吸収する構成となっている。
この第２層４２の下には、第３層４３が配置され、この第３層４３は、後述する踵部２１からアーチ部２２にかけて配置され、比較的硬い素材から成っており、また、踵部２１からアーチ部２２に亘って、外周が起立したカップ状の保持部４３ａとされている。このため、インソール４０は、高齢者の足の特に踵側をしっかり保持することができる構成となっている。
このため、第３層４３は、高齢者の足の踵側を保持する構成ともなっている。したがって、高齢者用靴１０内に挿入された足が安定的に靴内に保持される構成となっている。
【００２３】
続いて、図１の靴底部２０について説明する。図２は、図１の靴底部２０の概略底面図である。靴底部２０についての説明の前提として、図３を用いて高齢者の足の部位とその名称について説明する。図３は、人体の足の概略説明図である。
図３の内足側（図において左側）に示すように、足の先端部分が足指等の部分であり、爪先領域である。この足指等の付け根部分等が図３の踏み付け領域である。また、所謂、土踏まず等を含む部分が中足領域であり、踵の周辺が踵領域となっている。
この前提で、靴底部２０の全体の概略を説明する。図１及び図２に示すように、靴底部２０の踵側（図１の右側）には、図３の踵領域に対応する踵部２１が形成されている。この踵部２１に連接して爪先側（図１の左側）には、図３の中足領域に対応するアーチ部２２が形成されている。このアーチ部２２に連接した爪先側には、足指の根本付近等であって歩行に際し踏み付けを行う部分である図３の踏み付け領域に対応する踏み付け部２３が形成されている。さらに、踏み付け部２３の爪先側には、図３の爪先領域に対応する爪先部２４が連接されている。
【００２４】
このように、踵部２１は、使用者（高齢者）の足の踵領域が配置される靴底部の踵部の一例であり、アーチ部２３は、踵部２１に連接され、使用者の足の中足領域が配置されるアーチ部の一例であり、踏み付け部２３は、アーチ部２３に連接され、使用者の足の踏み付け領域が配置される踏み付け部の一例である。さらに、爪先部２４は、踏み付け部２３に連接され、使用者の足の爪先領域を配置する爪先部の一例となっている。
【００２５】
ところで、図１及び図２の踵部２１は、歩行に際し、高齢者が先ず最初に着地する部分であるため、この踵部２１を含む靴底部２０は、剛性のある素材により形成され、着地に際する衝撃に対してもアッパー部３０内の足が「ぶれ」ることがなく、確実に踵を保持できる構成となっている。
また、図１の踵部２１の右端であり、最初に着地する部分である踵コーナー２１ａは、角ではなく、丸くなるように曲面状に形成されている。このため、歩行の着地が、よりスムーズとなると共に、確実に接地できるような構成となっている。
【００２６】
また、図２に示すように、靴底部２０の靴底面には、踵部２１、アーチ部２２、踏み付け部２３及び爪先部２４を区画するための溝である３本の区画溝５０ａ、５０ｂ、５０ｃが靴底面の長手方向に交差する短手方向にそれぞれ形成されている。
また、図２に示すように、踵部２１には、踵部の屈曲を促進するため、靴底面の長手方向に交差する方向に踵屈曲溝２１ｂが形成されている。
この踵屈曲溝２１ｂは、アーチ部２２と区画するための区画溝５０ｃと共に、僅かな変形を許容することで、踵部２１が確実に接地するように、なじませる程度の変形を行うものであり、踵コーナー２１ａと同様に確実に接地するための溝であって、例えば、アーチ部２２との区画溝５０ｃは設けないで構成することもできる。
さらに、図２の踏み付け部２３には、踏み付け部２３の屈曲を促進するための２本の踏み付け屈曲溝２３ａ、２３ｂ（踏み付け屈曲部の一例）が靴底面の長手方向に交差する短手方向に形成されており、アーチ部２２と踏み付け部２３の区画溝５０ｂや、踏み付け部２３と爪先部２４の区画溝５０ａと協同して、踏み付け部２３近傍で積極的に屈曲を促す溝として構成されている。なお、これらの各溝部２３ａ，２３ｂ，５０ａ，５０は、内足側から外足側に向かって間隔が広くなる略放射状に配置されている。
【００２７】
このように、歩行に際し、着地の衝撃に耐え得る剛性を有する材質からなる靴底部２０であっても、図２に示すように、踵部２１側の区画溝５０ｃや踵屈曲溝２１ｂでは、踵部２１を確実に接地できる程度に変形できる構成とし、踏み付け部２３側の区画溝５０ａ，５０ｂや踏み付け屈曲溝２３ａ，２３ｂでは、積極的な屈曲を促す構成とするように、これらを靴底面の長手方向に交差する短手方向に形成することで、足に対応した位置で適切な屈曲をし易い構成となっている。
したがって、図１の高齢者用靴１０を履いた高齢者が、上述の歩行のローリング動作に際して足を屈曲させるとき、この踏み付け部２３側の区画溝５０ａ等で靴底部２０がより屈曲、変形する構成となっており、踵部２１側の踵屈曲溝２１ｂ等で確実に踵部２１が接する構成とされているため、高齢者の足の屈曲やローリング動作を妨げず、むしろ、これらの動作を促進させる構成となっている。したがって、高齢者の歩行時における自然な足の運びを可能にしている。
【００２８】
また、図１及び図２に示すように、靴底部２０の踵部２１の後端部側には、靴底部２０の材質よりも摩擦抵抗が大きい踵側滑り止め部２１ｃが形成され、その表面には滑り止め用の凹凸が形成されている。
また、図２に示すように、踵部２１の表面のうち、踵側滑り止め部２１ｃが形成されない部分には、踵側滑り止め用凹凸部２１ｄが例えば、円形で３個、形成されている。
したがって、高齢者が歩行に際し、踵部２１で着地するとき、摩擦力が働き、高齢者用靴１０が滑ることがなく、グリップ力が働き、歩き易い構成となっている。
【００２９】
また、図１及び図２に示すように、靴底部２０の踏み付け部２３の表面には、靴底部２０の材質よりも摩擦抵抗が大きい踏み付け滑り止め部２３ｃが、長手方向に沿って２列形成され、その表面には滑り止め用の凹凸も形成されている。
この踏み付け滑り止め部２３ｃは、区画溝５０ａと踏み付け屈曲溝２３ａ，２３ｂの間の区間にそれぞれ配置されており、図３に示す拇趾丘Ｓに対応した位置に配置されている。
また、図２の踏み付け部２３の踏み付け滑り止め部２３ｃの近傍には、踏み付け滑り止め用凹凸部２３ｄが例えば、円形で４個ずつ形成されている。
【００３０】
したがって、高齢者が歩行に際し行う、上述のローリング動作のうち、「親指で蹴り出す」等の動作に際し、接地していて力がかかる踏み付け部２３では、蹴り出すためグリップ力が必要となる。この点、本実施の形態では、踏み付け部２３に踏み付け滑り止め部２３ｃ等が配置されているため、充分なグリップ力が働き、高齢者がローリング動作による踏み出しを行い易くなる。
これらの各滑り止め部２１ｃ，２３ｃは、靴底部２０よりも弾性を有する材料が、靴底部２０の対応する窪みに対して、一体成形または接着等によって一体に形成されている。
【００３１】
また、図１及び図２に示すように、爪先部２４には、爪先側滑り止め用凹凸部２４ａが筋状の溝として形成されている。したがって、上述の踏み付け部２３に加えて、この爪先側滑り止め用凹凸部２４ａによって、よりグリップ力が発揮され、歩行し易い構成となっている。
なお、図１に示すように爪先部２４の先端側が高く、後端側に向かって徐々に低くなるようトゥスプリングがなされた構成とされており、足が上がりづらい高齢者であっても躓きづらい構成とされている。
【００３２】
また、本実施の形態では、図２に示すように、靴底部２０の靴底面には、その長手方向に沿って踵部２１から爪先部２４にかけて連続してローリング溝２５が形成されている。すなわち、ローリング溝２５は、図２の踵部２１及びアーチ部２２では、靴底面の短手方向の外足側に配置され、その後、踏み付け部２３では、外足側から内足側に曲がって配置されて（外足側から内足側に変位して延伸している一例）、爪先部２４では、内足側に配置されている。
より詳細にローリング溝２５の位置を説明すると、ローリング溝２５は、踵部２１における後端部では略中央領域に位置し、踵部２１の先端側になるに従って外足側に変位して、アーチ部２２ではそのまま外足側に位置し、踏み付け部２３では先端側になるに従って、外足側から内足側に曲線状に曲がって変位して、さらに爪先部２４では先端側になるに従って、略中央領域に変位するよう配置されている。
このような、ローリング溝２５の配置は、高齢者が歩行に際し、重心の移動を行うべき適切な位置とも一致する。
ところで、図２に示すように、ローリング溝２５で、例えば踵部２１を分断すると、図２の分断された踵部２１の外足側と内足側（図における上側と下側）では、その面積が相違し、内足側の方が大きくなる。
このような状況で、高齢者が歩行のために重心を踵部２１にかけると、面積の小さい方がより変形しやすくなり、重心はローリング溝２５の外足側により移動し易くなり、重心はこのローリング溝２５にほぼ沿ってかかるようになる。
これは、図２の踏み付け部２３や爪先部２４も同様であり、踏み付け部２３で外足側から内足側に徐々に重心が移動し、踏み付け部２３先端側や爪先部２４では、踏み出すために最も力のかかる親指側（内足側）に重心が移動するように促されることになる。
【００３３】
このように靴底面にローリング溝２５を形成することで、高齢者に歩行において適正な連続した重心移動を促し、適正なローリング動作と適正な歩行を促す構成となっている。
【００３４】
また、本実施の形態では、ローリング溝２５のうち、踵部２１の最後端部分であるローリング溝最後端部２５ａは、図２に示すように、靴底面の略中央部に配置されていると共に、踵部２１のアーチ部２２側寄り（図２の左側）では、ローリング溝２５は、外足側に変位している。
高齢者ではない、一般人では、歩行におけるローリング動作の開始であり、踵部の最後端では、外足側となるのが通常である。
しかし、高齢者の場合は、足の運びが一般人より緩慢になるため、ローリング動作の開始点は、踵部２１の最後端の中央部とした方が安定する。そこで、本実施の形態では、図２に示すように、踵部２１の最後端の中央部にローリング溝後端部２５ａを形成した。
したがって、高齢者用靴１０は、高齢者にとって、より好ましいローリング動作を促し易い構成となっている。
【００３５】
また、図１に示すように靴底部２０のアーチ部２２の上層には、アーチ部２２の剛性を高めるためのアーチ剛性部２２ａが配置されている。また、このアーチ剛性部２２ａの上には、アーチ部及び踵部２１の剛性を高めるためのボード部２６が形成されている。
図４は、図１のアーチ剛性部２２ａ及びボード部２６等を示す概略図である。
図４に示すように、踵部２１からアーチ部２２に亘っては、ボード部２６で、その剛性が高められ、変形しづらい構成とされ、高齢者の足を確実に保持する構成となっている。さらに、アーチ部２２は、このボード部２６の他に、アーチ剛性部２２ａが配置されているため、さらに剛性が高くなり、変形しづらい構成とされている。  
この、ボード２６や後述するカウンター部２８により、踵を安定的に保持できる構成とすることで、まっすぐに立って、ぐらつかずに安定した着地を可能としている。
そして、高齢者等の安定した歩行が困難な使用者にとって、歩行におけるローリング動作で重心移動をし、これと共に足を屈曲させていくことで、アーチ部２２に対して、ねじれ方向の力が加わることがある。このような力がアーチ部２２加わり、アーチ部２２が「ぶれ」ると、歩行が「ぶれ」て、円滑な歩行動作を妨げることになる。特に、歩行時に接地する面積が小さい、アーチ部２２では、「ぶれ」が生じ易い構成となっている。
そこで、本実施の形態では、アーチ部２２にアーチ剛性部２２ａを配置することで、この「ぶれ」の発生を未然に防ぎ、アーチ部２２での変形を必要最低限に抑え、高齢者に適切なローリング動作をし易い構成としている。つまり、アーチ部２２が中折れせず、高齢者は足の運びを真っ直ぐにすることが容易となる。
【００３６】
また、アーチ部２２に、アーチ剛性部２２ａを設けたことで、歩行に際し、足を屈曲させ蹴り出すとき、僅かに屈曲したアーチ部２２が復元力を発揮するため、足の蹴り出しの動作を補助し、促す機能も発揮する。したがって、蹴り出し（踏みだし）易く、歩行しやすい高齢者用靴１０となっている。
【００３７】
また、本実施の形態では、図４に示すように、踵部２１の内足側２０ａには、踵部２１の剛性を高めるための内足踵剛性部２７（踵剛性部の一例）が配置されている。
また、図１及び図４に示すようにアッパー部３０の踵部２１には、踵部２１の剛性を高めるカウンター部２８（アッパー剛性部の一例）が形成され、このカウンター部２８は、図４に示すように内足側２０ａが外足側２０ｂより長く形成されている。
つまり、高齢者が行うローリング動作は図２に示すように、踵部２１では、接地後にその重心が外足側２０ｂに移動していくことが好ましい。しかし、特に高齢者の場合、ローリング動作の開始時であり、着地時である踵部２１では、その重心の移動が内足側２０ａに誤って移動することが多い。
そこで、本実施の形態では、踵部２１の内足側２０ａに剛性の高い内足踵剛性部２７を配置し、さらに、踵部２１に相当するアッパー部３０に剛性の高いカウンター部２８を配置し、そのカウンター部２８を内足側２０ａに長く形成している。このように構成することで、ローリング溝２５の配置とあいまって、高齢者の足の踵部２１における重心を剛性の低い外足側２０ｂに移動させやすい構成となっている。
したがって、高齢者が図２のローリング溝２５に沿った重心の移動をし易い高齢者用靴１０となる。
【００３８】
本発明は、上述の各実施の形態に限定されない。また、本実施の形態では、高齢者用靴１０を例に説明したが、これに限らず、例えば、幼児用靴等の歩行が不安定な使用者用の靴に適用しても構わない。また、踏み付け屈曲溝２３ａ，２３ｂや区画溝５０ａ，５０ｂ等の各溝部は、屈曲を促すための脆弱部として機能するものであればよく、各溝部に柔軟な材料を配置して変形しやすい構成としてもよい。
【図面の簡単な説明】
【００３９】
【図１】本発明の靴の実施の形態に係る例えば、高齢者用靴を示す概略断面図である。
【図２】図１の靴底部の概略底面図である。
【図３】人体の足の概略説明図である。
【図４】図１のアーチ剛性部及びボード部等を示す概略図である。
【符号の説明】
【００４０】
１０・・・高齢者用靴、２０・・・靴底部、２１・・・踵部、２１ｃ・・・踵側滑り止め部、２２・・・アーチ部、２３・・・踏み付け部、２３ａ・・・踏み付け屈曲溝、２３ｃ・・・踏み付け滑り止め部、２４・・・爪先部、２５・・・ローリング溝、５０ａ乃至５０ｃ・・・区画溝
【図１】
2008029717.tif 000003
【図２】
2008029717.tif 000004
【図３】
2008029717.tif 000005
【図４】
2008029717.tif 000006